(57)【要約】  液晶表示板２４１の下にはプリズムシート２４２が配置されており、第１の発光ダイオード群２４７が点灯するタイミングで第１の方向２４３に光線が進行し、この位置に移動した目２０２Ｌは第１の画像２１１を見ることができる。また、第２の発光ダイオード群２４８が点灯すると第２の方向２４４に光線が進行し、この位置に移動した目２０２Ｒは第２の画像２１２１を見ることができる。両画像２１１、２１２が繋ぎ合わされて１つの広い画像となる。
2007111022.tif 000002
【特許請求の範囲】
【請求項１】
１枚分の画像を表示する表示板と、
この表示板上に表示される画像を互いに異なった空間位置から視認できる複数の空間領域を設定する空間領域設定手段と、
前記表示板の表示面積に対応した１枚の画像よりも表示面積の大きな１つの画像を前記複数の空間領域のそれぞれに１つずつ個別に対応する１枚ずつの画像に分割する画像分割手段と、
この画像分割手段によって分割された１枚ずつの画像が前記互いに異なった空間位置から対応付けて視認されるように表示方向を異にして前記表示板に前記１つの画像を分割して表示させる画像表示手段とを具備することを特徴とする画像表示装置。
【請求項２】
前記画像表示手段は、前記互いに異なった空間位置に残像の生じる画像の切替周期で前記１つの画像を分割した１枚ずつの画像を前記表示板に切り替えて表示させる手段であることを特徴とする請求項１記載の画像表示装置。
【請求項３】
前記表示板の傾斜を検出する傾斜検出手段を備え、
前記画像表示手段は、この傾斜検出手段の検出結果に応じて前記１枚の画像を前記空間領域に対応させて選択して表示させることを特徴とする請求項１記載の画像表示装置。
【請求項４】
前記表示板の水平位置を検出する水平位置検出手段を備え、
前記画像表示手段は、この水平位置検出手段の検出結果に応じて前記１枚の画像を前記空間領域に対応させて選択して表示させることを特徴とする請求項１記載の画像表示装置。
【請求項５】
前記空間領域設定手段は、異なった複数の方向から選択的に光を照射する選択的光照射手段と、この選択的光照射手段の照射した光の方向によって前記表示板の表示の見える方向を複数に設定する光進路設定手段とを具備することを特徴とする請求項１記載の画像表示装置。
【請求項６】
異なった進路に光を択一的に照射する発光ダイオードと、入射角に応じて光を複数の方向のうちの１つに出射するプリズムシートを具備することを特徴とする請求項１記載の画像表示装置。
【請求項７】
異なった進路に光を択一的に照射する発光ダイオードと、入射角に応じて光を複数の方向のうちの１つに出射するプリズムシートを具備することを特徴とする請求項２記載の画像表示装置。
【請求項８】
異なった進路に光を択一的に照射する発光ダイオードと、入射角に応じて光を複数の方向のうちの１つに出射するプリズムシートを具備することを特徴とする請求項３記載の画像表示装置。
【請求項９】
異なった進路に光を択一的に照射する発光ダイオードと、入射角に応じて光を複数の方向のうちの１つに出射するプリズムシートを具備することを特徴とする請求項４記載の画像表示装置。
【請求項１０】
表示板の表示面積に対応した１枚の画像よりも表示面積の大きな１つの画像を予め定めた複数の空間領域のそれぞれに１つずつ個別に対応する１枚ずつの画像に分割する画像分割ステップと、
この画像分割ステップで分割された１枚の画像のうち前記複数の空間領域のうちの視認対象とされる１つの領域に対応するものを逐次選択して前記表示板に表示させる逐次画像選択表示ステップとを具備することを特徴とする画像表示方法。
【請求項１１】
前記１つの画像は、動画を構成するそれぞれの画像であることを特徴とする請求項１０記載の画像表示方法。
【発明の詳細な説明】
【技術分野】
【０００１】
本発明は、画像を表示する表示画面を備えた画像表示装置および画像表示方法に係わり、特に、比較的小さな表示画面を備えた携帯型の電話機等の情報処理装置やデジタルカメラあるいは小型ビデオカメラに好適な画像表示装置および画像表示方法に関する。
【背景技術】
【０００２】
情報処理装置の多くは、扱う情報が増大している一方で、持ち歩きに便利なように小型化される傾向がある。このような情報処理装置の代表的なものが携帯電話機、ＰＨＳ（Personal Handy-phone System）、ＰＤＡ（Personal
Digital Assistant）といったポケットサイズの装置である。【０００３】
このような小型の情報処理装置は通信技術や各種技術の発展と共に非常に持ち歩きやすくなっている半面で、ディスプレイに割り当てられる面積が極度に限定されている。このため、画像や文字情報をより多く表示しようとすると、これらを縮小して表示する必要があり、これにより画像を判読し難くなるという問題がある。【０００４】
そこで、１つの大画面を分割してそれぞれの情報処理装置に表示することが提案されている（たとえば特許文献１参照）。この提案では、たとえば、大画面として将棋盤を示そうとするときに、第１の情報処理装置にはその将棋盤の先手側半分を表示する。また、第２の情報処理装置にはその将棋盤の後手側半分を表示するようにしている。これにより、２つの情報処理装置を併せて、将棋盤の全部が表示され、その将棋盤の上の複数の駒を互いに識別可能に表示可能である。
【特許文献１】特開２００４−１４４８２２号公報（第００４０段落、図３）
【発明の開示】
【発明が解決しようとする課題】
【０００５】
ところが、この提案では、複数の情報処理装置に分割して画像を表示するので、その場に携帯電話機等の複数の情報処理装置が存在することが必要となる。次にこれらの情報処理装置に画像を分配する通信手段が必要になり、通信システムが複雑化するだけでなく、複数の情報処理装置を通信によって連携させるので、通信コストも高くなる。更に、各情報処理装置を互いに接近させて配置したとしても、ディスプレイの表示領域が連続して配置される訳ではない。したがって、将棋盤の先手側半分と後手側半分をそれぞれ別の情報処理装置のディスプレイに表示する場合には問題が少ないが、人物の顔の部分を複数の情報処理装置に分割して表示するような場合であると、全体的な画像認識ができなくなる。【０００６】
図１５は、画像を途切れなく拡大表示する従来の手法を表わしたものである。この手法では、液晶セル１０１に導光板１０２を介してバックライト１０３から光を均一に照射して、この液晶ディスプレイ１０５に、たとえば矢印型の画像１０６を表示させる。この画像１０６を、虫眼鏡等の凸レンズ１０７を用いて図の上方から覗いて見ると、虚像１０８によって画像１０６を拡大して認識することができる。【０００７】
図１６は、液晶ディスプレイと、これによって拡大された画像を原理的に示したものである。液晶ディスプレイ１０５に示された画像に対して、これよりも表示面積の広い拡大された画像１１１が生じている。ここでは、液晶ディスプレイ１０５上の山の上に雲が存在する画像が、拡大された画像１１１として認識されるようになっている。【０００８】
図１５あるいは図１６に示した凸レンズ１０７を用いて画像１０６を拡大して見る手法では、比較的重い凸レンズ１０７を常に携行する必要がある。また、画像を見る者が机やテーブルの傍に座っているような場合を除いては、画像を拡大するときに情報処理装置を一方の手で保持した状態で、凸レンズ１０７を他方の手で保持する必要がある。すなわち、両手を使って拡大画像を得ることになるので、画像を見ながら片手でメモを取るような操作が不可能になる。また、凸レンズ１０７によって画像が拡大されるものの、液晶ディスプレイ等のディスプレイは１つ１つの画素の集合で画像を表示している。このため、拡大しても画像の荒さが目立つだけの結果に終わってしまう場合も多い。いわゆる馬鹿拡大と呼ばれる画像と同じになって、拡大によって得られる情報が増加するものではない。【０００９】
更に凸レンズ１０７を用いた手法は、画像自体が拡大されるものであり、画像領域を拡大するものではない。また、凸レンズ１０７を用いることで、画像に光学歪が発生したり、色ずれが発生するといった不都合が生じる場合もある。【００１０】
そこで本発明の目的は、１つのディスプレイでその表示面積以上の広い画像領域を表示することのできる画像表示装置および画像表示方法を提供することにある。
【課題を解決するための手段】
【００１１】
本発明では、１枚分の画像を表示する表示板と、この表示板上に表示される画像を互いに異なった空間位置から視認できる複数の空間領域を設定する空間領域設定手段と、表示板の表示面積に対応した１枚の画像よりも表示面積の大きな１つの画像を前記した複数の空間領域のそれぞれに１つずつ個別に対応する１枚ずつの画像に分割する画像分割手段と、この画像分割手段によって分割された１枚ずつの画像が互いに異なった空間位置から対応付けて視認されるように表示方向を異にして表示板に１つの画像を分割して表示させる画像表示手段とを画像表示装置に具備させる。【００１２】
すなわち本発明では、表示板に表示される画像が異なった空間位置からそれぞれ視認できる複数の空間領域を空間領域設定手段によって設定しておき、画像分割手段で分割した１つの画像をそれぞれの空間領域に対応させておく。そして、画像分割手段によって分割された１枚ずつの画像が互いに異なった空間位置から対応付けて視認されるように表示方向を異にして表示板に１つの画像を分割して表示させる制御を、画像表示手段によって行う。【００１３】
表示の態様としては、１枚ずつの画像を異なった方向から見えるように分割した１枚ずつの画像を時分割で並列表示してもよいし、目の相対的な空間位置に応じて、それら１枚ずつの画像の中から１つを選択して表示させてもよい。空間領域の切り替えは、目の方を移動させることで行ってもよいし、表示板を左右または上下に回転させることで行ってもよい。また、複数の表示板が平面上に並べられているときにそれぞれの表示板を選択して見るように、表示板を水平方向に移動させることで表示のための空間領域を切り替えるようにしてもよい。【００１４】
また、本発明では、表示板の表示面積に対応した１枚の画像よりも表示面積の大きな１つの画像を予め定めた複数の空間領域のそれぞれに１つずつ個別に対応する１枚ずつの画像に分割する画像分割ステップと、この画像分割ステップで分割された１枚の画像のうち前記した複数の空間領域のうちの視認対象とされる１つの領域に対応するものを逐次選択して表示板に表示させる逐次画像選択表示ステップとを画像表示方法に具備させる。【００１５】
すなわち本発明では、画像を１枚の表示板で表示できる以上の大きな領域で表示できるように画像分割ステップで所定数に分割し、複数の空間領域のうちの視認対象とされる１つの領域に対応するものを逐次選択して表示板に表示させることで、大きな領域における画像を逐次分割して表示することができる。また、画像は静止画だけでなく動画も可能である。
【発明の効果】
【００１６】
以上説明したように本発明によれば、１枚分の画像を表示する表示板に表示される画像が空間領域に対応して切り替えられるので、表示板の表示面積に対応した１枚の画像よりも表示面積の大きな１つの画像を時分割で表示することができる。したがって、携帯電話機のような小型の装置でも広い範囲の画像を表示することができ、小型、軽量で安価な画像表示装置を実現することができる。しかも同一の画像範囲を縮小して表示板に表示する必要がないので、画像の解像度を低下させる必要がなく、高品位な画像を表示することができる。
【図面の簡単な説明】
【００１７】
上述した目的、およびその他の目的、特徴および利点は、以下に述べる好適な実施の形態、およびそれに付随する以下の図面によってさらに明らかになる。【００１８】
【図１】本発明の一実施例における画像表示装置を使用した携帯電話機の使用状態を示す斜視図である。
【図２】本実施例の携帯電話機のディスプレイに表示された画像の一例を示した説明図である。
【図３】本実施例の携帯電話機の回路構成の概要を表わしたブロック図である。
【図４】本実施例のディスプレイの断面構造と、目の位置によって画像の切り替わる様子を表わした説明図である。
【図５】本実施例で２画面に画像が表示される場合の光の目に入る２つの方向を示す説明図である。
【図６】本実施例で静止画の表示の指示があったときの表示制御の様子を表わした流れ図である。
【図７】本実施例でディスプレイに第１の画像が表示される状態を示した原理図である。
【図８】本実施例でディスプレイに第２の画像が表示される状態を示した原理図である。
【図９】本発明の第１の変形例による光学系の要部を示した原理図である。
【図１０】本発明の第２の変形例による光学系の要部を示した断面図である。
【図１１】第２の変形例で山の上に雲と月が出ている風景が表示された様子を表わした説明図である。
【図１２】本発明の第３の変形例の携帯電話機の回路構成の概要を表わしたブロック図である。
【図１３】第３の変形例における大画面表示の表示処理の様子を表わした流れ図である。
【図１４】本発明の第４の変形例による大画面表示モードでの動画の表示処理を表わした流れ図である。
【図１５】画像を途切れなく拡大表示する従来の手法を示した原理図である。
【図１６】液晶ディスプレイとこれによって拡大された画像を示した説明図である。
【発明を実施するための最良の形態】
【００１９】
以下実施例につき本発明を詳細に説明する。
【実施例１】
【００２０】
図１は、本発明の一実施例における画像表示装置を使用した携帯電話機の外観を表わしたものである。この携帯電話機２００は、これを手２０１に持ったユーザの目２０２がディスプレイ２０３を見る位置を変えることで、ディスプレイに表示されている画像が複数の画像に切り替わる。これら複数の画像の継ぎ目が連続していることで、ディスプレイ２０３に表示される画像が連続した１つの画像として見え、画角の広い画像を認識することができる。【００２１】
図２は、本実施例の携帯電話機のディスプレイに表示された画像の一例を示したものである。ここでは、ディスプレイ２０３に、その見る位置（空間領域）で２つの画像が表示されるものとする。このうち第１の画像２１１は、図１で左側に示した位置に存在する（移動した）ユーザの目２０２Ｌがディスプレイ２０３を見たときの画像の状態であり、第２の画像２１２は、図１で右側に示した位置に存在する（移動した）ユーザの目２０２Ｒがディスプレイ２０３を見たときの画像の状態である。実際には図１に示したディスプレイ２０３に対して顔を左右に移動させると、これに伴って画像２１１、２１２が切り替わることになる。【００２２】
図３は、この携帯電話機の回路構成の概要を表わしたものである。携帯電話機２００は、この全体的な制御を行う主制御部２２１を備えている。主制御部２２１は、ＣＰＵ（Central Processing Unit）２２２、制御プログラムを格納したＲＯＭ（Read
Only Memory）２２３および作業用メモリとしてのＲＡＭ（Random Access Memory）２２４を備えている。主制御部２２１は、バス等の信号伝達手段２２５を介して装置内の各部と接続されている。【００２３】
このうち通信制御部２２６は、図示しない無線基地局と通話のための通信を制御する他に、赤外線等の他の無線通信も行えるようになっている。更に、図示しないＵＳＢ（Universal Serial Bus）ポートを使用して図示しない外部装置とデータの通信も行えるようになっている。操作入力部２２７は、図１に示した各種キーからなり、ダイヤル番号等の各種のデータを入力するようになっている。カメラ部２２８は、ＣＣＤ（Charged Coupled Device）等の撮像素子を用いて静止画や動画を撮影するようになっている。画像処理部２２９は、カメラ部２２８の撮影した画像や、通信制御部２２６を介して入力された画像の処理を行うようになっている。本実施例ではディスプレイ２０３に表示する画像の分割等の処理も行う。音声入出力部２３１は、通話のための音声の入出力やアラーム音の出力を行うようになっている。表示制御部２３２は、ディスプレイ２０３を駆動する回路部分である。【００２４】
なお、通信制御部２２６等の主制御部２２１以外の部品の一部は、ＲＯＭ２２３に格納された制御プログラムをＣＰＵ２２２が実行することによってソフトウェア的に実現するものであってもよい。【００２５】
図４は、本実施例のディスプレイの断面構造と、目の位置によって画像の切り替わる様子を表わしたものである。ディスプレイ２０３は、図示しないマトリックス状の電極によって画像を表示する液晶表示板（ＬＣＤ：Liquid Crystal Display）２４１を備えている。液晶表示板２４１の下には、所定の間隔を置いてプリズムシート２４２が配置されている。本実施例のプリズムシート２４２は、第１の方向２４３と第２の方向２４４の２つの方向に光線の進路を切り替えるための光学部品であり、片面（図では下面）が鋸状に加工されている。プリズムシート２４２は、幾つかのメーカから市販されている。【００２６】
図５は、図４に示した２つの方向の関係を示したものである。液晶表示板２４１に垂直な線分２５１に対して第１の方向２４３と第２の方向２４４は対称の関係にあり、共に出射角はθとなっている。これらの方向２４３、２４４は、必ずしも入射角が対称の関係である必要はなく、一般にはこれら２つの方向が異なった２つの角度となっていればよい。【００２７】
図４に戻って説明を続ける。プリズムシート２４２の下方には所定の間隔を置いて光線を反射させる反射シート２４５が配置されている。プリズムシート２４２と反射シート２４５の間には、光線を透過させる透明な導光板２４６が配置されている。導光板２４６の図で右端部には、第１の発光ダイオード群２４７が紙面に垂直方向に間隔を置いて１個ずつ配置されており、これによって図２に示した第１の画像２１１が形成されるようになっている。導光板２４６の図で左端部には、第２の発光ダイオード群２４８が紙面に垂直方向に間隔を置いて同様に１個ずつ配置されており、これによって図２に示した第２の画像２１２が形成されるようになっている。【００２８】
液晶表示板２４１は、交互に第１の画像２１１と第２の画像２１２を、たとえば６０分の１秒という速度で交互に表示するようになっている。第１の画像２１１が液晶表示板２４１に表示されるタイミングで、第１の発光ダイオード群２４７が点灯し、第１の方向２４３にその画像の光が出射する。また、第２の画像２１２が液晶表示板２４１に表示されるタイミングで、第２の発光ダイオード群２４８が点灯し、第２の方向２４４にその画像の光が出射するようになっている。【００２９】
ここでは説明を簡単にするために片目で画像を見ることを前提とする。図４で左側の空間領域にいるときのユーザの目２０２Ｌは第１の画像２１１を見ることができ、図４で右側の空間領域にいるときのユーザの目２０２Ｒは第２の画像２１２を見ることができる。目２０２が両者の中間の中央位置を移動しているときに、第１の画像２１１と第２の画像の境界位置を脳で連続した画像に認識する過程を経て、一方から他方に画像が切り替わることになる。このような脳の画像認識処理は、たとえば立体視を行うために左右の目に別々の画像を見せた時に行われる処理と類似している。第１の画像２１１と第２の画像の境界を繋ぎ合わせるための"こつ"を掴むと、それ以後は、合成された１つの画像の認識を簡単に行えるようになる。【００３０】
図６は、静止画の表示の指示があったときの表示制御の様子を表わしたものである。たとえば図３に示したカメラ部２２８が撮影した画像をプレビュ機能を用いて見るときや、送られてきた電子メールに添付されている画像を見るときに、この表示制御が行われる。図３と共に説明する。【００３１】
携帯電話機２００のユーザが操作入力部２２７を操作して画像の表示を行おうとすると、これに伴って電話機内部で画像の取り込みの指示が発生する（ステップＳ３０１）。この指示があると（Ｙ）、主制御部２２１は指示された画像を画像処理部２２９内の独自のメモリ（図示せず）あるいは作業用のＲＡＭ２２４に保存する（ステップＳ３０２）。ここではＲＡＭ２２４の所定の領域に保存するものとして説明を行う。【００３２】
この状態で主制御部２２１は、ユーザの指示が、ディスプレイ２０３のサイズの１枚分の画像を表示する通常モードによる表示か、２枚分の画像を表示する大画面表示モードによる表示であるかをチェックする（ステップＳ３０３）。大画面表示モードによる表示を指示するものであれば（Ｙ）、ＲＡＭ２２４に保存した１つの画像を左右に２つの画像に分割する（ステップＳ３０４）。このとき、画像の整合を行いやすいように境界部分がわずかに重複するように分割してもよい。このようにしてＲＡＭ２２４には、たとえば図２に示した第１の画像２１１と第２の画像２１２が別々に保存されることになる。【００３３】
この後、主制御部２２１は、交互にたとえば６０分の１秒ずつの間隔で交代する第１のタイミングと第２のタイミングのいずれのタイミングが到来するか、あるいは表示の停止の指示があるかをチェックする（ステップＳ３０５〜ステップ３０７）。第１のタイミングが到来すると（ステップＳ３０５：Ｙ）、主制御部２２１はＲＡＭ２２４から第１の画像２１１の読み出しを行い、これと共に表示制御部２３２の第１の発光ダイオード（ＬＥＤ）群２４７を点灯させる（ステップＳ３０８）。これにより、図４に示した液晶表示板２４１には第１の画像２１１が表示される。【００３４】
図７は、ディスプレイに第１の画像が表示される状態を示したものである。この状態では第１の発光ダイオード群２４７が点灯し、第２の発光ダイオード群２４８は消灯している。したがって、第１の発光ダイオード群２４７から出力された光線２６１は、プリズムシート２４２に直接入射し、あるいは図４に示した反射シート２４５によって反射され、透明な導光板２４６の中を往復した後にプリズムシート２４２に入射する。そして、これらの光線は第１の方向２４３に出射する。したがって、第１の方向２４３に目２０２Ｌが存在する（図４参照）と、第１の画像２１１を見ることができる。この瞬間、第２の画像２１２は形成されていない。したがって、目２０２Ｒの位置（図４参照）では第２の画像２１２を認識することができない。【００３５】
図６に戻って説明を続ける。第１の画像が表示された状態で主制御部２２１は、表示の停止の指示がなければ（ステップＳ３０７：Ｎ）、更に６０分の１秒が経過して第２のタイミングが到来した時点で（ステップＳ３０６：Ｙ）、ＲＡＭ２２４から第２の画像２１２の読み出しを行い、これと共に表示制御部２３２の第２の発光ダイオード群２４８を点灯させる（ステップＳ３０９）。これにより、図４に示した液晶表示板２４１には第２の画像２１２が表示される。【００３６】
図８は、ディスプレイに第２の画像が表示される状態を示したものである。この状態では第２の発光ダイオード群２４８が点灯し、第１の発光ダイオード群２４７は消灯している。したがって、第２の発光ダイオード群２４８から出力された光線２６２は、プリズムシート２４２に直接入射し、あるいは図４に示した反射シート２４５によって反射され、透明な導光板２４６の中を往復した後にプリズムシート２４２に入射する。そして、これらの光線は第２の方向２４４に出射する。したがって、第２の方向２４４に目２０２Ｒが存在すると（図４参照）、第２の画像２１２を見ることができる。この瞬間、第１の画像２１１は形成されていない。したがって、目２０２Ｌの位置（図４参照）では第１の画像２１１を認識することができない。【００３７】
再び図６に戻って説明を続ける。以上のようにして第２の画像２１２が表示されたら、再びステップＳ３０４の画像分割が行われた後の状態に戻り、以後、電話機内部で画像の表示停止の指示が発生するまで（ステップＳ３０７：Ｙ）、第１の画像と第２の画像が６０分の１秒ごとに繰り返して表示されることになる。左右に移動した１つの目２０２Ｌ、２０２Ｒは、残像現象により第１の画像２１１と第２の画像２１２は常時存在する画像として認識する。しかも、これらの切替時に目２０２Ｌ、２０２Ｒが物理的に左右に移動するので、人間は頭を左右に振って視野を広げたものと錯覚し、これらの画像の接合を行うことで１枚の画像と認識することができる。これにより、１枚のディスプレイ２０３が実質的に２倍の視野面積を有した状態で画像が表示されることになる。なお、ステップＳ３０７で表示停止が指示された場合（Ｙ）、表示が終了することになる（エンド）。【００３８】
なお、ユーザが通常モードによる表示を選択した場合には（ステップＳ３０３：Ｎ）、通常の携帯電話機等の画像表示装置に使用されるディスプレイで行われる表示制御が実行される（ステップＳ３１０）。すなわち、画像をディスプレイ２０３の１枚分のサイズに調整して表示する。このときは、画像の切り替えを行う必要がない。そこで、第１の発光ダイオード群２４７と第２の発光ダイオード群２４８を共に点灯させて、ユーザは広い角度範囲で１枚の画像を見ることになる。この通常モードによる表示の場合にも、表示の停止が指示された時点で（ステップＳ３１１：Ｙ）、表示が終了する（エンド）。【００３９】
＜発明の第１の変形例＞【００４０】
図９は、本発明の第１の変形例による光学系の要部を示したものである。この変形例では先の実施例の導光板２４６（図４）に相当するもので、入射角に応じて光の進行する方向を２方向に切り替える導光板４０１を使用している。導光板４０１の１つの側面４０２には、これとほぼ直交する方向に光を入射させる第１の発光ダイオード４０３と、導光板４０１の射出面４０４と平行な面内で、その入射角を第１の発光ダイオード４０３のそれから所定の角度だけ回転させた第２の発光ダイオード４０５を、側面４０２の長さ方向に一定間隔で交互に配置した構成となっている。【００４１】
この第１の変形例の導光板４０１は、第１の発光ダイオード４０３から入射した光を導光板の射出面４０４から所定の角度だけ傾斜した第１の方向４１１に射出し、第２の発光ダイオード４０５から入射した光を導光板の射出面４０４に対して垂直方向である第２の方向４１２に射出する。第２の方向４１２は必ずしも射出面４０４に対して垂直方向である必要はなく、第１の方向４１１と異なる方向であればよい。【００４２】
このように第１の方向４１１と第２の方向４１２に分かれた光は、実施例のプリズムシート２４２と同様のシートあるいは平板に入射することで、実施例の図４に示した第１の方向２４３と第２の方向２４４に変換される。したがって、残像の残るような画像の切替速度で第１の発光ダイオード４０３を実施例で説明した第１の画像２１１と同期して点灯させ、第２の発光ダイオード４０５を第１の画像２１２と同期して点灯させれば、１枚のディスプレイ２０３が実質的に２倍の視野面積を有した状態で画像が表示されることになる。【００４３】
＜発明の第２の変形例＞【００４４】
図１０は、本発明の第２の変形例による光学系の要部を示したものである。この第２の変形例では、実施例のプリズムシート２４２のような進路変更シート５０１から第１〜第３の方向５１１〜５１３に光線が切り替わって出力されるようになっている。この結果、第１〜第３の画像５２１〜５２３が残像の残る時間でそれぞれ表示されることになる。【００４５】
図１１は、山の上に雲と月が出ている風景が第２の変形例で表示された様子を表わしたものである。第１〜第３の画像が見る位置で次々と現われるので、携帯電話機のユーザは画像を横に順に繋いだ形で３画面分の画像を認識することができる。もちろん、一度に見ることができる画像は１枚分のディスプレイ２０３のサイズであるが、目をずらしていくことで画像の表示領域がほぼ３倍に広がることになる。【００４６】
なお、この第２の変形例では大画面表示を第１〜第３の画像の切り替えで実現したが、この場合の通常モードの画像表示は、第１〜第３の方向５１１〜５１３のすべてに光線を出力することで行ってもよいし、たとえば中央の第２の方向５１２の光線のみを使用することもできる。第２の方向５１２の光線のみを使用した場合には、ディスプレイ２０３を良好に見ることのできる視野範囲が狭まる。したがって、たとえば電車の中で隣に座っている人に画像を見せたくない場合には、第２の方向５１２の光線のみを出力するようにすればよい。このように通常モードの画像表示では、出力する光線の方向を選択することで、視野角の広狭を調整することができる。【００４７】
＜発明の第３の変形例＞【００４８】
図１２は、本発明の第３の変形例の携帯電話機の回路構成の概要を表わしたものである。この変形例の携帯電話機２００Ｃは、先の実施例の携帯電話機２００に水平角検出部６０１を追加した構成となっている。水平角検出部６０１は携帯電話機２００Ｃのディスプレイ面がほぼ水平に配置されているか、傾斜した状態にあるかを検出するようにしている。そして、検出した３つの角度に応じてディスプレイ２０３に表示される画像を切り替えるようにしている。主制御部２２１Ｃはその構成が実施例の主制御部２２１と同じであるが、ＲＯＭ２２３Ｃはこの変形例の携帯電話機２００Ｃ用の制御プログラムを格納している。水平角検出部６０１は傾斜を検出する各種のセンサを使用して実現することができる。【００４９】
図１３は、この第３の変形例における大画面表示の表示処理の様子を表わしたものである。図６のステップＳ３０２で表示の対象となる画像がメモリに格納されているものとする。この状態で主制御部２２１Ｃは、大画面表示モードになっているかを判別する（ステップＳ７０１）。通常表示モードであれば（Ｎ）、図６のステップＳ３１０以降の処理が行われるので、その図示および説明を省略する。【００５０】
これに対して大画面表示モードになっている場合には（ステップＳ７０１：Ｙ）、画像を３分割して、それぞれを対応するメモリ領域に記憶させる（ステップＳ７０２）。そして、水平角検出部６０１がほぼ水平位置に保たれているかを判別する（ステップＳ７０３）。ここで「ほぼ水平位置」とは、人の顔の正面とディスプレイ２０３の面がほぼ平行になっていることをいう。したがって、ディスプレイ２０３が文字通りほぼ水平になっている場合と、目に見やすいように手で携帯電話機２００Ｃのディスプレイを前方向に傾斜するように持っている場合を含んでいる。これは、ディスプレイを正面から見ている状態である。【００５１】
携帯電話機２００Ｃがほぼ水平位置にある場合には（ステップＳ７０３：Ｙ）、図１０における第２の方向５１２に光線を出力する発光ダイオード群を点灯させ、この状態で第２の画像５２２を該当するメモリ領域から読み出して表示する（ステップＳ７０４）。第２の画像５２２の表示は、水平角検出部６０１がほぼ水平位置に保たれていることを検出している間、表示停止の指示が行われない限り（ステップＳ７０５：Ｎ）、継続する。【００５２】
ユーザは現在表示されている第２の画像５２２の左側に延長する画像を見たいときには、手に持っている携帯電話機２００Ｃを正面位置からそのディスプレイ２０３の面の左側部を遠ざける方向としての時計方向に少し回転させる。これにより、水平角検出部６０１がこの回転を検出すると（ステップＳ７０６：Ｙ）、主制御部２２１Ｃは代わって第１の方向５１１に光線を出力する発光ダイオード群を点灯させ、この状態で第１の画像５２１を該当するメモリ領域から読み出して表示する（ステップＳ７０７）。第１の画像５２１の表示は、水平角検出部６０１が前記した時計方向に回転した状態が保たれている間、表示停止の指示が行われない限り（ステップＳ７０５：Ｎ）、継続する。【００５３】
一方、ユーザが第２の画像５２２の右側に延長する画像を見たいときには、手に持っている携帯電話機２００Ｃを正面位置から前記した時計方向とは逆の反時計方向に少し回転させる。これにより、水平角検出部６０１がこの回転を検出すると（ステップＳ７０６：Ｎ）、主制御部２２１Ｃは代わって第３の方向５１３に光線を出力する発光ダイオード群を点灯させ、この状態で第３の画像５２３を該当するメモリ領域から読み出して表示する（ステップＳ７０８）。第３の画像５２３の表示は、水平角検出部６０１が前記した反時計方向に回転した状態が保たれている間、表示停止の指示が行われない限り（ステップＳ７０５：Ｎ）、継続する。【００５４】
このように本発明の第３の変形例によれば、ユーザは顔を動かすことなく携帯電話機２００Ｃをそのディスプレイ２０３の面の一方の側部が遠ざかり他方の側部が近づく方向に回転させるだけで、空間領域を順次切り替えて、３つの画像があたかも１枚の画像として連続しているように認識することができる。しかも、この場合には各空間位置の画像を残像現象を利用して表示する必要がないので、消費電力を低減させることができる。もちろん、水平角検出部６０１を用いずに携帯電話機を実施例と同一の構成としても、その回転によって画像を切り替えることができる。【００５５】
同様の２画面あるいは３画面以上の多数画面の切り替え表示は、携帯電話機２００Ｃを上記したように回転させずに、ディスプレイ２０３を正面に見ている位置から左右に移動させることによっても行うことができる。すなわち、携帯電話機２００Ｃを持っている手のひらを右方向に移動させてこれが検出されれば第１の画像５２１をディスプレイ２０３に表示し、反対に左方向に移動させてこれが検出されれば第３の画像５２３をディスプレイ２０３に表示することになる。どの方向に移動したかは、たとえば携帯電話機２００Ｃのカメラ部２２３がディスプレイと同一面側に配置されている場合、このカメラを用いて被写体としてのユーザの顔が左右どの位置に偏っているかを判別することで検出することができる。もちろん、移動方向の判別には加速度センサを用いることも可能である。【００５６】
＜発明の第４の変形例＞【００５７】
図１４は、本発明の第４の変形例による大画面表示モードでの動画の表示処理を表わしたものである。この第４の変形例では、実施例と同一のハードウェアで動画の再生を行うものとする。大画面表示モードによる動画の再生指示があると（ステップＳ８０１：Ｙ）、表示処理を行う画像のフレームを特定するパラメータｍを初期化して"１"とする（ステップＳ８０２）。そして、第ｍフレーム（この場合には第１フレーム）の画像を取り込む（ステップＳ８０３）。そして、取り込んだ画像を第１の画像の表示と第２の画像の表示を別々に行うために２分割し、図示しない２つのメモリ領域に２分割後の画像データを別々に格納する（ステップＳ８０４）。【００５８】
この変形例では、たとえば６０分の１秒置きに第１の画像と第２の画像を順に表示するのであれば、第１の画像を表示するための第１のタイミングが到来するのを待機する（ステップＳ８０５）。第１のタイミングが到来したら（Ｙ）、ステップＳ８０４で２分割してメモリ領域に格納した第１の画像を読み出す。このとき、第１の発光ダイオード（ＬＥＤ）群２４７を点灯させる（ステップＳ８０６）。これにより、第１の発光ダイオード群２４７が点灯し、第１の方向２４３にその画像の光が出射する。【００５９】
この後、第２の画像を表示するための第２のタイミングが到来するのを待機する（ステップＳ８０７）。第２のタイミングが到来したら（Ｙ）、ステップＳ８０４で２分割してメモリ領域に格納した第２の画像を読み出す。このとき、第２の発光ダイオード（ＬＥＤ）群２４７を点灯させる（ステップＳ８０８）。これにより、第１の発光ダイオード群２４７が点灯し、第１の方向２４３にその画像の光が出射する。【００６０】
以上のようにして最初の１フレームの画像が２画面分のサイズで表示されたら、動画の終了あるいはユーザの指示等の理由によって、大画面表示モードでの動画の表示処理の停止が指示されているかどうかをチェックする（ステップＳ８０９）。大画面表示モードでの動画の表示処理の停止が指示されていなければ（Ｎ）、パラメータｍが"１"だけ加算されて、ステップＳ８０３に戻る。すなわち、この場合にはｍが"２"としてステップＳ８０３に戻って、２番目のフレームの画像の取り込みが行われる。以下同様に処理が行われる。そして、ステップＳ８０９で表示停止指示が出されていることを確認した場合には、表示処理を終了する（エンド）。【００６１】
このようにして大画面で動画の再生が指示されたときには、動画を構成する１つずつのフレームが順番に読み出されて、実施例の静止画と同様に２画面が連続して見える状態で動画の再生が行われていくことになる。ステップＳ８０１で通常モードでの動画の再生が指示された場合には、通常モードによる動画の表示処理が行われる。【００６２】
この第４の変形例では２画面に動画を再生する場合を説明したが、３画面に動画を再生することも同様に可能である。【００６３】
更に実施例および各変形例では、片目による画像の大画面表示を実現することにしたが、これに限定するものではない。すなわち、ユーザが両目で画像を見る場合にも本発明を同様に適用することができる。【００６４】
また、実施例では携帯電話機の画像表示装置に本発明を適用した場合を示したが、非常に大型のディスプレイを除く画像を表示するあらゆる装置に本発明を適用することができることは当然である。
【図１】
2007111022.tif 000003
【図２】
2007111022.tif 000004
【図３】
2007111022.tif 000005
【図４】
2007111022.tif 000006
【図５】
2007111022.tif 000007
【図６】
2007111022.tif 000008
【図７】
2007111022.tif 000009
【図８】
2007111022.tif 000010
【図９】
2007111022.tif 000011
【図１０】
2007111022.tif 000012
【図１１】
2007111022.tif 000013
【図１２】
2007111022.tif 000014
【図１３】
2007111022.tif 000015
【図１４】
2007111022.tif 000016
【図１５】
2007111022.tif 000017
【図１６】
2007111022.tif 000018
【手続補正書】
【提出日】平成20年8月15日(2008.8.15)
【手続補正１】
【補正対象書類名】明細書
【補正対象項目名】００５９
【補正方法】変更
【補正の内容】
【００５９】
この後、第２の画像を表示するための第２のタイミングが到来するのを待機する（ステップＳ８０７）。第２のタイミングが到来したら（Ｙ）、ステップＳ８０４で２分割してメモリ領域に格納した第２の画像を読み出す。このとき、第２の発光ダイオード（ＬＥＤ）群２４８を点灯させる（ステップＳ８０８）。これにより、第２の発光ダイオード群２４８が点灯し、第２の方向２４４にその画像の光が出射する。
【国際調査報告】
2007111022.tif 000019
2007111022.tif 000020
2007111022.tif 000021
2007111022.tif 000022